(57)【要約】      （修正有）【課題】安価に製造することができるトング代替用シートパッケージを提供する。【解決手段】パッケージは、外装袋２ａや外装箱からなる外装体２と、その内部に収納されるトング代替シート束とを備え、代替シート束は、複数枚の代替シートを１枚ずつ外装体２の取出口から取り出し可能に折り畳まれて積み重ねた状態とされる。つまり、各代替シートを２つ折りにして交互に半面を挟み込むように積み重ねられた状態で収納すれば、代替シートを１枚づつ取出口から取り出せる。各代替シートを耐油性および撥水性を有する合成樹脂により形成しているので安価である。【選択図】図１
0003220375.tif 000002
【実用新案登録請求の範囲】
【請求項１】
１枚ずつ取出口から取り出し可能に折り畳まれて積み重ねた状態の複数枚のトング代替シートの束が外装体に収納され、前記代替シートは、耐油性および撥水性を有する合成樹脂により形成され、該代替シートが２つ折りにされて交互に半面を挟み込むように積み重ねられた状態で収納されていることを特徴とするトング代替シートパッケージ。
【請求項２】
前記外装体は、袋状に形成された外装袋とされ、該外装袋に脆弱線により引き裂き開口可能な取出口が形成されている、請求項１に記載のトング代替用シートパッケージ。
【請求項３】
前記外装体が箱状に形成された外装箱から構成され、該外装箱に脆弱線により引き裂き開口可能な取出口が形成されている、請求項１に記載のトング代替用シートパッケージ。
【考案の詳細な説明】
【技術分野】
【０００１】
本考案は、ドーナツ等の食品を挟むためのトングに代わり、シートにより食品をそのまま挟みこむためのトング代替シートパッケージに関するものである。
【背景技術】
【０００２】
この種のトング代替シートは、特許文献１，２に示すように、パルプを主成分とする基材の両面に耐油層を有する耐油紙や、基材に非フッ素系耐油層を有する耐油紙が開示され、これらによりピザパイ、ドーナツ、フライドチキン、ハンバーガー等の食品を掴むようにして使用することができる。
【先行技術文献】
【特許文献】
【０００３】
【特許文献１】特許６０７５０７０号公報
【特許文献２】特許６２１３２９０号公報
【考案の概要】
【考案が解決しようとする課題】
【０００４】
しかし、従来のトング代替シートは、パルプ紙等の基材の両面に耐油層を形成するなど、その加工費用が高くつき、さらなる安価な代替シートの提供が求められている。
【０００５】
本考案は、上記に鑑み、安価に製造することができるトング代替用シートパッケージの提供を目的としている。
【課題を解決するための手段】
【０００６】
上記目的を達成するため、本考案は、１枚ずつ取出口から取り出し可能に折り畳まれて積み重ねた状態の複数枚のトング代替シートの束が外装袋や外装箱等の外装体に収納され、これらの代替シートを耐油性および撥水性を有する合成樹脂により形成し、この代替シートを２つ折りにして交互に半面を挟み込むように積み重ねられた状態で収納し、代替シートを１枚づつ取出口から取り出せるようにしている。
【考案の効果】
【０００７】
本考案によると、代替シートを耐油性および撥水性を有する合成樹脂により形成し、この代替シートを２つ折りにして交互に半面を挟み込むように積み重ねられた状態で収納し、代替シートを１枚づつ取出口から取り出せるようにしているので、安価な代替シートを提供することができる。
【図面の簡単な説明】
【０００８】
【図１】本考案の第１の実施形態である外装袋の斜視図である。
【図２】同じく代替シートが積層された状態を示す断面図である。
【図３】同じく代替シートにより食品を掴む使用状態を示す斜視図である。
【図４】本考案の第２の実施形態を示す外装箱の斜視図である。
【考案を実施するための形態】
【０００９】
本考案に係るトング代替用シートパッケージの実施形態を図面に基づいて説明する。
【００１０】
＜第１の実施形態＞
本実施形態のトング代替シートパッケージ１は、外装体２と、その内部に収容される数枚のトング代替シートの束３とを備えている。複数枚のトング代替シート３ａの束３は、１枚ずつ取出口から取り出し可能に折り畳まれて積み重ねた状態で外装体に収納される。前記代替シート３ａ、３ｂ・・は、耐油性および撥水性を有する合成樹脂により形成されている。この代替シート３ａが２つ折りにされて交互に半面を挟み込むように積み重ねられた状態で収納されている。
【００１１】
代替シート３ａ，３ｂの素材は、合成樹脂ならば、特に限定されないが、例えば、高密度ポリエチレン（ＨＤＰＥ）等の半透明シートから構成することができる。代替シート３ａ，３ｂの厚みは、取扱い食品の態様により７μｍ〜２００μｍ程度で適宜選択することができる。代替シート３ａ、３ｂは、トングに代わりドーナツ等の食品を掴むためのものであるため、耐油性および撥水性を優れた素材であることが必要である。代替シートの積み重ね枚数は複数枚ならば特に限定されるものではなく、目的に応じて１０枚程度から２０００枚程度まで積層することができる。
【００１２】
外装体２は、平面視で四角袋状に形成された外装袋２ａとされている。この外装袋２ａにミシン目等の脆弱線５により引き裂き開口可能な取出口６が形成され、この取出口６から代替シート３ａ、３ｂを１枚づつ取り出すことができる。
【００１３】
上記構成において、外装袋２ａの脆弱線５を引き裂き、外装袋２ａの中から最上層の代替シート３ａを摘まみ出す。そうすると、１枚目の代替シート３ａを簡単に取り出すことができる。しかも、１枚目の代替シート３ａと２枚目の代替シート３ｂとは、それぞれ２つ折りにされて交互に半面を挟み込むように積み重ねられているので、１枚目の代替シート３ａを外装袋２ａの取出口６から取り出せば、２枚目の代替シート３ｂの端部は取出口６の開口から外側に引き出され、２枚目の代替シート３ｂも容易に取り出すことができる。以下、下層の代替シート３ｂも順次取り出すことができる。
【００１４】
このように取り出された代替シート３ａを手のひらに載せた状態でドーナツ９等の食品陳列棚からドーナツ等の食品９を直接摘まんで他の容器や収容袋に収容する。この際、パルプを主成分とする基材の両面に耐油層を有する耐油紙や、基材に非フッ素系耐油層を有する耐油紙を使用する場合に比べて、厚みの薄い合成樹脂製の代替シート３ａ，３ｂを採用することにより、安価な代替シートを提供することができる。
【００１５】
＜第２の実施形態＞
図４は第２の実施形態を示す外装箱の斜視図である。この実施形態では、外装体２は、例えば、直方体の箱状に形成された外装箱２ｂから構成される。外装箱２ｂの天面には、脆弱線５により引き裂き開口可能な取出口６が形成されている。この取出口６は、脆弱線５により楕円状に開口する開口部７に透明フィルム８を貼り付け、そのフィルム８にスリット状の取出口６を形成することができる。その他の構成は第１の実施形態と同様である。
【００１６】
上記構成においては、直方体状の外装箱５ｂの天面にある取出口６から代替シート３ａ，３ｂを１枚づつ取り出すことができる。このとき、代替シート３ａ，３ｂは、耐油性および撥水性を有する合成樹脂により形成し、この代替シート３ａ，３ｂを２つ折りにして交互に半面を挟み込むように積み重ねられた状態で収納し、代替シート３ａ，３ｂを1枚づつ取出口６から取り出せるようにしているので、安価な代替シートを提供することができる。
【００１７】
なお、本考案は上記実施形態に限定されるものではなく、本考案の範囲内で多くの修正・変更を加えることができるのは勿論である。例えば、代替シートはトングの代わりに用いるばかりでなく、食品を載せる敷紙の代わりとしても利用することができる。また、外装袋２ａの場合、外装袋２ａに吊下げ用の穴を設け、食品の陳列棚付近に設けた吊り下げ棒（図示略）に吊下げるようにすることもできる。さらに、外装箱２ｂの場合、食品陳列棚付近に設けた箱ホルダー（図示略）に外装箱２ｂを収容して保持するようにすることができる。
【符号の説明】
【００１８】
１    トング代替シートパッケージ
２    外装体
２ａ  外装袋
２ｂ  外装箱
３    代替シート束
３ａ，３ｂ  代替シート
５    脆弱線
６    取出口
７    開口部
８    透明フィルム
９    食品（ドーナツ）
【図１】
0003220375.tif 000003
【図２】
0003220375.tif 000004
【図３】
0003220375.tif 000005
【図４】
0003220375.tif 000006